(57)【要約】【課題】髪をブラッシングする際に、髪を傷めず従来よりも潤いを与え、使用者が好みのヘアースタイルにアレンジ出来るヘアードライヤーのアタッチメントを提供すること。【解決手段】本発明のヘアードライヤーのアタッチメントは、アタッチメント内部にミストを発生する装置を設け、アタッチメントの全周囲から均一に風上からミストを放出する構造とする。具体的には、送風口を有した筒状のドライヤー本体と、ドライヤー本体と一体もしくは連結自在に設けられ周囲に放射状に設けたブリスルよりなるブラシ部と前記送風口と連通し、周囲に風を吐出する複数個の吹出孔を設けた筒状のホルダーからなるロール状のブラシ本体と、前記ブラシ本体内に設けられ、前記吹出孔からブラシ部に向けてミストを吹出すミスト流出口を有したミスト発生器とを備え、前記ミスト発生器のミスト流出口を前記ドライヤー本体側へ配設した。【選択図】図１
2010240019.tif 000002
【特許請求の範囲】
【請求項１】
送風口を有した筒状のドライヤー本体と、前記ドライヤー本体と一体もしくは連結自在に設けられ、周囲に放射状に設けたブリスルよりなるブラシ部と前記送風口と連通し、周囲に風を吐出する複数個の吹出孔を設けた筒状のホルダーからなるロール状のブラシ本体と、前記ブラシ本体内に設けられ、前記吹出孔からブラシ部に向けてミストを吹出すミスト流出口を有したミスト発生器とを備え、
前記ミスト発生器のミスト流出口を前記ドライヤー本体側へ配設したことを特徴とするヘアードライヤーのアタッチメント。
【請求項２】
前記ブラシ本体の先端に前記ミスト発生器を所定位置に保持するキャップリブを設けたことを特徴とする請求項１に記載のヘアードライヤーのアタッチメント。
【請求項３】
前記ブラシ本体の先端に設けたキャップは着脱自在としたことを特徴とする請求項１または２に記載のヘアードライヤーのアタッチメント。
【請求項４】
前記ミスト発生器は、周囲に風を吐出する複数個の吹出孔を設けた筒状のホルダーからなるロール状のブラシ本体に向けてＡｇイオンを含んだミストを吹き出すことを特徴とする請求項１に記載のヘアードライヤーのアタッチメント。
【発明の詳細な説明】
【技術分野】
【０００１】
本発明は、ヘアードライヤーのアタッチメントに関するものである。
【背景技術】
【０００２】
従来から濡れた髪を乾燥させるため温風を送風したり、髪形を整えるための機器としてヘアードライヤーが広く使用されている。特に、使用者が好みのスタイルにするために髪を整えながら、髪に潤いを与える所謂スチーム式ドライヤーと呼ばれるヘアドライヤーがある。下記の特許文献１においては、このような用途を目的とするスチームヘアーセット器が開示されている。
【０００３】
この特許文献１によれば、毛髪セット部で毛束を整えて癖を付ける際に、毛髪セット部内に収納されたスチーム発生用ヒータ装置の高熱が手指に伝わり難くして、不快な熱さを感じないようにし、水タンクの装着操作が出来るようにしたスチームヘアーセット器が記載されている。
【先行技術文献】
【特許文献】
【０００４】
【特許文献１】特開平２−１６７１０３号公報
【発明の概要】
【発明が解決しようとする課題】
【０００５】
しかしながら、このようなスチームヘアーセット器では、スチーム発生用ヒータに予期しないで手が触れることによる火傷の危険性や使用の度に水タンクを装着する煩わしさを伴う。
【０００６】
このような点からも、使用者が髪をブローする際には、水入りタンク等の交換や注水等の手間を取らずに、髪を乾かしながらも、髪に潤いを与え、安心して好みの髪型に整えることが可能なヘアードライヤーのアタッチメントが要求されている。
【０００７】
そこで本発明は、この要求に応えるため、髪をブラッシングする際に、髪を傷めず従来よりも潤いを与え、使用者が好みのヘアースタイルにアレンジ出来るヘアードライヤーのアタッチメントを提供することを目的とする。
【課題を解決するための手段】
【０００８】
上記目的を達成するために、本発明のヘアードライヤーのアタッチメントは、送風口を有した筒状のドライヤー本体と、前記ドライヤー本体と一体もしくは連結自在に設けられ、周囲に放射状に設けたブリスルよりなるブラシ部と前記送風口と連通し、周囲に風を吐出する複数個の吹出孔を設けた筒状のホルダーからなるロール状のブラシ本体と、前記ブラシ本体内に設けられ、前記吹出孔からブラシ部に向けてミストを吹出すミスト発生器とを備え、前記ミスト発生器のミスト流出口を前記ドライヤー本体側へ配設したことを特徴とする。
【０００９】
この構成によると、本発明のヘアードライヤーのアタッチメントは、ミスト流出口から吹き出されるミストを本体側から吹き出される風によってブラシ本体の内部全体に飛ばしブラシ本体内にミストを均一に充満させ、そのミストを複数個の吹出孔より吹き出すことを可能とする。
【００１０】
また本発明は、上記構成のヘアードライヤーのアタッチメントにおいて、前記ブラシ本体の先端に前記ミスト発生器を所定位置に保持するキャップリブを設けたことを特徴とする。
【００１１】
この構成によると、ブラシ本体の先端に設けたキャップの真ん中に形成されるキャップリブが取り付けられることにより、ヘアドライヤーの使用中にブラシ本体に急な振れや振動が加わっても、キャップリブがブラシ本体の内部に装着したミスト発生器が揺れ動くのを押さえ、所定位置に保持する。
【００１２】
また本発明は、上記構成のヘアードライヤーのアタッチメントにおいて、前記ブラシ本体の先端に設けたキャップは着脱自在としたことを特徴とする。
【００１３】
この構成によると、ブラシ本体の先端に設けたキャップの脱着が出来るので、ブラシ本体内に設けるミスト発生器の取り外しが簡単に行え、またブラシ本体からミスト発生器を取り外した状態では、ブラシ本体内部の清掃も容易に行える。
【００１４】
また本発明は、上記構成のヘアードライヤーのアタッチメントにおいて、前記ミスト発生器は、周囲に風を吐出する複数個の吹出孔を設けた筒状のホルダーからなるロール状のブラシ本体に向けてＡｇイオンを含んだミストを吹き出すことを特徴とする。
【００１５】
この構成によると、ミスト発生器の内部に貯蔵されたＡｇイオンによって、ミスト発生器内の水を腐らせることなく、ロール状のブラシ本体から容易にＡｇイオン水を髪や頭皮に振り掛けることを可能とする。
【発明の効果】
【００１６】
本発明は上記の構成を備えることにより、以下に示すような優れた効果を奏する。すなわち、本発明のヘアードライヤーのアタッチメントは、ロール状のブラシ本体にて髪をブラッシングする際、ブラシ本体内においてミスト流出口をヘアドライヤー本体側に近い位置に向けて下側に配設したことで、ブラシ本体の内部全体に均一にミストを充満させて、ブラシ本体に設けた複数個の吹出孔から全体に均一してミストを吹き出して整髪が可能となり、髪に艶と潤いを与え、見栄えの優れたヘアーアレンジを実現する。
【図面の簡単な説明】
【００１７】
【図１】図１は本発明の実施形態に係るヘアードライヤーのアタッチメントの斜視図
【図２】図２は図１のヘアードライヤーのアタッチメントの正面図
【図３】図３は図２のＡ−Ａ線で切断したヘアードライヤーのアタッチメントの断面図
【図４】図４は図１のヘアードライヤーのアタッチメントの平面図
【図５】図５は図１のヘアードライヤーのアタッチメント内部に設けられるミスト発生器の斜視図
【図６】図６は図５のミスト発生器の正面図
【図７】図７は図５のミスト発生器をＡ−Ａ線で切断した断面図
【図８】図８は図５のミスト発生器の平面図
【発明を実施するための形態】
【００１８】
以下、図面１から図面８を参照して、本発明の実施形態に係るヘアードライヤーのアタッチメントとアタッチメント内に設けられるミスト発生器を説明する。但し、以下に示す実施形態は、本発明の技術的思想を具体化するためのヘアードライヤーのアタッチメントを例示するものであって、本発明をこのヘアードライヤーのアタッチメントに特定することを意図するものではなく、特許請求の範囲に含まれるその他の実施形態のものなどにも等しく適用し得るものである。
【００１９】
図１は本発明の実施形態に係るヘアードライヤーのアタッチメントの斜視図、図２は図１のヘアードライヤーのアタッチメントの正面図である。図３は、図２のヘアードライヤーのアタッチメント１をＡ−Ａ線で切断した断面図である。図４は、図１のヘアードライヤーのアタッチメントを上方から見た平面図である。図５は図１のヘアードライヤーのアタッチメント内部に設けられるミスト発生器の斜視図である。図６は図５のミスト発生器の正面図である。図７は図５のミスト発生器をＡ−Ａ線で切断した断面図である。図８は図５のミスト発生器の平面図である。
【００２０】
本発明の実施形態に係るヘアードライヤーのアタッチメントは、ブラシ付タイプである。このヘアードライヤーのアタッチメント（ブラシ本体）１は、ヘアードライヤー本体（図示せず）に、はめ込み結合する構成となっている。
【００２１】
このヘアードライヤー本体はブラシ本体１から最も離れたところから順にファン、モータ、ヒータ、吹出口が配置されるのであるが、図示は省略してある。モータがファンを回転させると、ヘアードライヤーの本体側から吸い込んだ空気を吹出口を通して、アタッチメント側へ流れる構造となっている。この際には、ヘアードライヤーの本体側から吸い込まれた空気は、ヒータによって所定温度に加熱される。これによって、ヘアードライヤーの本体側から吸い込んだ空気は温風となり吹出口へ送風される。また、ヒータと吹出口の間の位置にはマイナスイオン発生素子が配置され、必要に応じ空気にマイナスイオンを混入させられるようになっている。
【００２２】
まず図１に基づいて説明する。図１はブラシ本体１の正面図である。吹出口にはブラシ本体１が被せられる。ブラシ本体１は円筒形をなし、円筒のほぼ全周が開口部となっており、筒状のホルダーからなる。この開口部にブラシ部２が取り付けられている。ブラシ部２は合成樹脂成型部品であって、筒状ホルダーの一部の領域に設けられ、主にナイロン材からなる多数のブリスル３が放射状に形成され、ブリスル３の先端は引掛けピン４、ブリスル３の根元の間に多数の吹出孔５を形成する。
【００２３】
次に図２は、ブラシ本体１の正面図である。ブラシ部２は、筒状ホルダーの長手方向と直交する方向に複数の空隙を形成する。
【００２４】
吹出孔５からは、本体側から送出された風と共にブラシ本体１の内部に設けられたミスト発生器１１からミストが混入された風が流出し、吹き出す構造となる。
【００２５】
この吹出孔５を吹き貫けるミストが混入された風は、髪に適度な潤いを与える。
【００２６】
ブリスル３とブリスル３の間には、前記ブリスルと同程度の長さからなる多数の係止ブリスル６が配設される。係止ブリスル６は、豚毛材質から形成される。係止ブリスル６はブリスル３で梳かした髪をソフトに捕らえ、髪を巻きつけやすい素材となっている。
【００２７】
ブリスル３と係止ブリスル６は、ブラシ本体１の周囲に対して放射状に等間隔で交互に形成される。
【００２８】
図３に基づいて説明する。図３は、図２のブラシ本体１をＡ−Ａ線で切断した断面図である。
【００２９】
図３は、ブラシ本体１の内部にてミスト発生器１１がミスト流出口１２をヘアドライヤー本体側に近い位置になるように固定装着された状態である。この状態のブラシ本体１とミスト発生器１１は、ブラシ本体１に形成されるリブ引掛け部７が、ミスト発生器１１に形成されるリブ１４と当接し、ブラシ本体１の内部にて揺れ動かないようにするストッパーの役割をする。
【００３０】
また、キャップ８をブラシ本体１に取り付けると、キャップ８の中心に形成されるキャップリブ９がミスト発生器１１に設ける注水栓１５を押止する。
【００３１】
リブ引掛け部７とリブ１４、キャップリブ９と注水栓１５の構成によってキャップ８をブラシ本体１に装着時は、例えば、ヘアドライヤーを使用中にブラシ本体１が激しく揺動したとしても、ブラシ本体１の内部に設けたミスト発生器１１は揺れ動かないように保持される。
【００３２】
図３の位置にミスト発生器１１が固定されることによって、本体側から送出された風がミスト流出口１２に面するフェルト１７に近接して吹き当たると、フェルト１７よりミスト化されたミストがブラシ本体１の内部全体に均一に行き渡る構成となる。
【００３３】
次に図４に基づいて説明する。図４（Ａ）は、図１のブラシ本体１の平面図である。ブリスル３は、筒状のホルダーからなるロール状のブラシ本体に放射状に形成され、先端部が丸みを持った引掛けピン４を有する。引掛けピン４は、樹脂となっているため、頭皮を傷つけることなく、髪を広い範囲でキャッチする。
【００３４】
キャップ８は、ブラシ本体１の上面部に取り付け自在である。このキャップ８を装着した状態では、ブラシ本体１の内部に設けるミスト発生器１１が外部から加わる振動・衝撃によって揺れ動かないように、キャップ８の真ん中に形成されるキャップリブ９が注水栓１５を支持し、ミスト発生器１１を保持する。
【００３５】
また、図４（Ｂ）は、ブラシ本体１からキャップ８を取外した状態を表す。この状態ではミスト発生器１１の出し入れが自在となる。ミスト発生器１１をブラシ本体１に装着時には、ブラシ本体１の内部に設けたリブ引掛け部７にミスト発生器１１のリブ１４が引っ掛かる構造となる。
【００３６】
図５に基づいて説明する。図５はミスト発生器１１の斜視図である。ミスト発生器１１は、ブラシ本体１の内部に設けられる。
【００３７】
ミスト発生器１１は、ブラシ本体１の内部にてミスト流出口１２を下向きにして、ヘアドライヤー本体側に向け固定装着する。
【００３８】
ミスト流出口１２は、本体側から送出される風が吹きつけられ、ミストが流出する箇所である。この箇所は、フェルト１７が見えるように楕円形を呈するように形成されており、フェルト１７が見える箇所以外については合成樹脂１３によって覆われている。
【００３９】
リブ１４は、ブラスチック等の合成樹脂からなり、ミスト発生器１１をブラシ本体１の内側にて固定装着時に、リブ１４がブラシ本体１のリブ引掛け部７に掛かる構造を有する。
【００４０】
注水栓１５は、ゴム等の軟質材からなり、ミスト発生器１１の上部に設けられ、取外し自在である。注水栓１５を取外した状態では、液体格納ユニット１８への水等液体の補給が簡単に行える。
【００４１】
ペレット栓１６も、ミスト発生器１１の上部に設けられ、取外しが自在である。ペレット栓１６を取外した状態では、固体格納ユニット１９へ固形物等の収納も簡単に行える。
【００４２】
なお、ミスト発生器１１の形状は、特に図５に示した形状に限定されるものではなく、例えば図４（Ｂ）に示すように、ブラシ本体１の中心位置に設置されるので、図４（Ｂ）の方向から見てミスト発生器の形状を真円とした場合、ミスト発生器１１を使用した場合よりも更に均一に満遍なくミストが行き渡る。
【００４３】
図６に基づいて説明する。図６は図５のミスト発生器１１の正面図である。
【００４４】
ミスト流出口１２は、フェルト１７を呈しており、その形状は楕円形となる。これは、ヘアドライヤー本体側の吹出口より送出される風が、フェルト１７に広い面積で当たることを考慮したものとなる。
【００４５】
またリブ１４は前面と左右対称に形成され、ブラシ本体１の内部に形成するリブ引掛け部７に固定装着しやすい形状をなす。
【００４６】
図７に基づいて説明する。図７は図５のミスト発生器１１をＡ−Ａ線で切断した断面図である。以下にミスト発生器１１の内部構造を説明する。
【００４７】
ミスト発生器１１は大きく、水等の液体を注水口となる注水栓１５、固体物を注入しておくペレット栓１６、フェルト１７、水等の液体を貯める液体格納ユニット１８、原材料等の固体物を収納する固体格納ユニット１９から構成される。ミスト流出口１２は、フェルト１７の表面が晒されており、左右どちらの向きから本体側の吹出口から送出される風がフェルト１７に吹き当たったとしても、フェルト１７よりミストを吹き飛ばす。
【００４８】
次にミスト発生器１１に内容物を格納する際の手順を説明する。まず、ミスト発生器１１の注水栓１５、ペレット栓１６を取り外しておいた状態で、液体格納ユニット１８に水等の液体を注水して貯めておく。この後、Ａｇペレット等の固形物を固体格納ユニット１９に収納する。
【００４９】
Ａｇペレットは、例えば銀材を不織布で被ったもので形成される。銀は、除菌、抗菌及び臭気を除去する性質を有するので、液体格納ユニット１８に水を貯留しておき固体格納ユニット１９にＡｇペレットを入れておくと、液体格納ユニット１８内の水が腐敗したり、あるいは悪臭を発生したりすることがなくなる。
【００５０】
また、この液体格納ユニット１８に貯められた水は、Ａｇペレットが発生するＡｇイオンを含有するＡｇイオン水となる。液体格納ユニット１８は、一端にフェルト１７が装着されていて、このフェルト１７にＡｇイオン水が浸み込む。液体格納ユニット１８内のＡｇイオン水がこのフェルト１７を伝わって外部に漏出され、ヘアドライヤー本体側の吹出口から風がフェルト１７に吹き当たることでミスト化される。
【００５１】
なお、固体格納ユニット１８に入れる固形物は、親水性に優れ髪にトリートメント効果を与える固形物であれば、特にＡｇペレットに限定されず、他の固形材料でも幅広く利用可能である。
【００５２】
さらに、液体格納ユニット１７と固体格納ユニット１８は連通しており、液体格納ユニット１７に水等の液体が入っている場合は、固体格納ユニット１８へも液体が浸水し、液体格納ユニット１７と固体格納ユニット１８は両方併せて液体タンクの役割を果たす。
【００５３】
なお、液体格納ユニット１７へ固形物を注入し、固体格納ユニット１８に液体を注水することも可能である。
【００５４】
図８に基づいて説明する。図８は図５のミスト発生器１１を上方から見た平面図である。
【００５５】
ミスト発生器１１の上部には、水等の液体を注入する注水栓１５とＡｇペレット等の固形物を投入する固形栓１６で構成される。
【００５６】
注水栓１５は、ミスト発生器１１から水等の液体が漏れるのを防ぐために設けて有る。この注水栓１５は、ゴム等の軟質材料を用いてなるが、この材料の代わりに、ネジで締め付けて固定する金具等であっても良い。
【００５７】
ペレット栓１６は、固体格納ユニット１８に固形物を収納する際に取り外して収納するための栓であり、合成樹脂材料からなる。このペレット栓１６は、装着自在であり、固体格納ユニット１８に収納された固形物、及び液体等が飛び出さないように固定保持を行う。
【００５８】
以上、本発明の実施形態につき説明したが、本発明の範囲はこれに限定されるものでは
なく、発明の主旨を逸脱しない範囲で種々の変更を加えて実施することができる。
【産業上の利用可能性】
【００５９】
本発明は、手持ち式のヘアードライヤーに広く利用可能である。
【符号の説明】
【００６０】
１              ブラシ本体
２              ブラシ部
３              ブリスル（ナイロン毛）
４              引掛けピン
５              吹出孔
６              係止ブリスル（豚毛）
７              リブ引掛け部
８              キャップ
９              キャップリブ
１１            ミスト発生器
１２            ミスト流出口
１３            合成樹脂
１４            リブ
１５            注水栓
１６            ペレット栓
１７            フェルト
１８            液体格納ユニット
１９            固体格納ユニット
【図１】
2010240019.tif 000003
【図２】
2010240019.tif 000004
【図３】
2010240019.tif 000005
【図４】
2010240019.tif 000006
【図５】
2010240019.tif 000007
【図６】
2010240019.tif 000008
【図７】
2010240019.tif 000009
【図８】
2010240019.tif 000010